(57)【要約】【課題】  チャンネル選局の利便性を向上させる。【解決手段】  テレビジョン受像機は、複数のチャンネルの放送信号が入力され、複数のチャンネルのうちから１つを選局して選局された放送信号を出力するチューナ１０３およびＡＶデコーダ１０７と、チューナ１０３およびＡＶデコーダ１０７により選局されたチャンネルのチャンネル履歴データを記憶する不揮発性メモリ１３３と、チャンネル履歴データと起動時刻とに基づき、起動時に選局するチャンネルを決定するシステムコントローラ１０１とを備える。【選択図】        図１
2007049539.tif 000002
【特許請求の範囲】
【請求項１】
複数のチャンネルの放送信号が入力され、前記複数のチャンネルのうちから１つを選局して放送信号を出力する選局手段と、
前記選局手段により選局されたチャンネルのチャンネル履歴情報を記憶するチャンネル履歴記憶手段と、
前記記憶されたチャンネル履歴情報と起動時刻とに基づき、起動時に選局するチャンネルを決定するチャンネル決定手段とを備えた、テレビジョン受像機。
【請求項２】
前記チャンネル履歴記憶手段は、曜日および時間帯別にチャンネルが選局された回数を計数する計数手段を含む、請求項１に記載のテレビジョン受像機。
【請求項３】
前記計数手段は、所定時間を越えてチャンネルが選局された回数を計数する、請求項２に記載のテレビジョン受像機。
【請求項４】
前記計数手段は、所定期間にチャンネルが選局された回数を計数する、請求項２に記載のテレビジョン受像機。
【請求項５】
ユーザを識別するためのユーザ識別情報を入力するユーザ識別情報入力手段をさらに含み、
前記チャンネル履歴情報記憶手段は、前記ユーザ識別情報別に前記チャンネル履歴情報を記憶し、
前記チャンネル決定手段は、前記入力されたユーザ識別情報に対応するチャンネルを決定する、請求項１に記載のテレビジョン受像機。
【発明の詳細な説明】
【技術分野】
【０００１】
この発明はテレビジョン受像機に関し、特に、複数のチャンネルのうちからいずれか１つを選局するテレビジョン受像機に関する。
【背景技術】
【０００２】
従来のテレビジョン受像機では、電源が切断された時点に選局されていたチャンネルを記憶しておき、次に電源が投入されると、電源が切断された時点で選局されていたチャンネルが選局されるものがあった。しかしながら、電源が投入される時点でユーザの所望するチャンネルが、電源が切断された時点で選局されていたチャンネルである確率は低い。このため、ユーザは番組表を見て選局し直さなければならなかった。一方、近年デジタル放送が普及してきている。デジタル放送は、チャンネル数が多い利点があるが、ユーザは所望の番組を選択するのに番組表を調べるなどしなければならず、時間がかかってしまう。一般的に、人が一週間のうちで視聴する番組は限られており、毎週同じ番組を視聴することがある。番組の曜日とチャンネルを記憶していれば、番組表からチャンネルを調べる手間を省くことができるが、全ての番組についてそれらを正確に記憶することは困難である。
【０００３】
このため特開２００１−２３０９７９号公報（特許文献１）には、ユーザが登録した番組、チャンネルなどを記憶しておき、登録された番組の放送を単一の入力操作で選局、表示させるテレビジョン受像機が記載されている。しかしながら、特開２００１−２３０９７９号公報に記載の技術は、ユーザが番組およびチャンネルを登録する操作をしなければならず、手間がかかるといった問題がある。
【特許文献１】特開２００１−２３０９７９号公報
【発明の開示】
【発明が解決しようとする課題】
【０００４】
この発明は上述した問題点を解決するためになされたもので、この発明の目的の１つは、チャンネル選局の利便性を向上させたテレビジョン受像機を提供することである。
【課題を解決するための手段】
【０００５】
上述した目的を達成するためにこの発明のある局面によれば、テレビジョン受像機は、複数のチャンネルの放送信号が入力され、複数のチャンネルのうちから１つを選局して放送信号を出力する選局手段と、選局手段により選局されたチャンネルのチャンネル履歴情報を記憶するチャンネル履歴記憶手段と、記憶されたチャンネル履歴情報と起動時刻とに基づき、起動時に選局するチャンネルを決定するチャンネル決定手段とを備える。
【０００６】
この発明に従えば、選局されたチャンネルのチャンネル履歴情報を記憶し、チャンネル履歴情報と起動時刻とに基づき、起動時に選局するチャンネルが決定されるので、起動時の時刻に対応する過去の時刻に選局していたチャンネルが選局される。このため、起動時にユーザの所望するチャンネルを選局する確率が向上する。その結果、チャンネル選局の利便性を向上させたテレビジョン受像機を提供することができる。
【０００７】
好ましくは、チャンネル履歴記憶手段は、曜日および時間帯別にチャンネルが選局された回数を計数する計数手段を含む。
【０００８】
この発明に従えば、曜日および時間帯別にチャンネルが選局された回数が計数されるので、起動時の曜日と同じ過去の曜日で、起動時の時間帯に視聴する頻度の高いチャンネルが選局される。このため、過去に選局した頻度の高いチャンネルを選局することができる。
【０００９】
好ましくは、計数手段は、所定時間を越えてチャンネルが選局された回数を計数する。
【００１０】
この発明に従えば、所定時間を越えてチャンネルが選局された回数が計数されるので、短い時間だけ選局されたチャンネルが計数されない。単に、番組の内容を知るためだけに選局されたチャンネルが、起動時に選局されてしまうのを回避することができる。
【００１１】
好ましくは、計数手段は、所定期間にチャンネルが選局された回数を計数する。
【００１２】
この発明に従えば、所定期間にチャンネルが選局された回数が計数されるので、所定期間より前に選局されたチャンネルは回数に計数されない。番組の内容、またはユーザの嗜好が変化するので、その変化に対応することができる。
【００１３】
好ましくは、ユーザを識別するためのユーザ識別情報を入力するユーザ識別情報入力手段をさらに含み、チャンネル履歴情報記憶手段は、ユーザ識別情報別にチャンネル履歴情報を記憶し、チャンネル決定手段は、入力されたユーザ識別情報に対応するチャンネルを決定する。
【００１４】
この発明に従えば、ユーザ識別情報別にチャンネル履歴情報が記憶され、入力されたユーザ識別情報に対応するチャンネルが決定される。テレビジョン受像機のユーザが複数ある場合、複数のユーザごとに視聴を望む番組が異なる場合がある。このため、ユーザ別に過去に選局した頻度の高いチャンネルを選局することができる。
【発明を実施するための最良の形態】
【００１５】
以下、本発明の実施の形態について図面を参照して説明する。以下の説明では同一の部品には同一の符号を付してある。それらの名称および機能も同じである。したがってそれらについての詳細な説明は繰返さない。
【００１６】
図１は、本発明の実施の形態の一つにおけるテレビジョン受像機の構成の概略を示す図である。図１を参照して、テレビジョン受像機１００は、放送電波を受信するアンテナ１０２に接続されており、アンテナ１０２から出力される放送信号がチューナ１０３に入力される。放送信号は、映像データおよび音声データを含む高周波デジタル変調信号である。チューナ１０３は、アンテナ１０２から入力される高周波デジタル変調信号から特定の周波数の信号を取り出す。また、チューナ１０３は、逆インターリーブ回路、誤り訂正回路を備えており、取り出した特定の周波数の高周波デジタル変調信号を復調してトランスポート・ストリーム（以下「ＴＳ」という）をデマルチプレクサ（ＤＥＭＡＸ）１０５に出力する。チューナ１０３で選択する特定の周波数は、後述するシステムコントローラ１０１により指定される。
【００１７】
ＤＥＭＡＸ１０５は、チューナ１０３から受け取ったＴＳを、ＭＰＥＧ２（Ｍｏｖｉｎｇ  Ｐｉｃｔｕｒｅ  Ｅｘｐｅｒｔｓ  Ｇｒｏｕｐ２）のビデオトランスポートパケット、オーディオトランスポートパケット、ＰＳＩ（Ｐｒｏｇｒａｍ  Ｓｐｅｃｉｆｉｃ  Ｉｎｆｏｒｍａｔｉｏｎ）、およびダウンロードプログラムパケットに分離する。ＤＥＭＡＸ１０５は、ビデオトランスポートパケットとオーディオトランスポートパケットをＡＶデコーダ１０７に供給し、ＰＳＩに含まれるサービス情報をシステムコントローラ１０１に供給する。なお、ＴＳには複数のチャンネルが多重化されており、この中から任意のチャンネルを選択するための処理は、ＰＳＩから任意のチャネルがＴＳ中でどのパケットＩＤで多重化されているかといったデータを取り出すことで可能となる。さらに、ＴＳの選定(トランスポンダの選定）もＰＳＩの情報に基づいて行うことができる。
【００１８】
ＡＶデコーダ１０７は、ビデオトランスポートパケットに対してデコードを行うビデオデコーダ、およびオーディオトランスポートパケットに対してデコードを行うオーディオデコーダを備える。ビデオデコーダは、入力された可変長符号を復号して量子化係数や動きベクトルを求め、逆ＤＣＴ変換や動きベクトルに基づく動き補償制御などを行い、映像信号を生成する。オーディオデコーダは、入力された符号化信号を復号して音声信号を生成する。ＡＶデコーダ１０７により生成された映像信号は映像処理回路１０９に出力され、音声信号は音声処理回路１１１に出力される。
【００１９】
映像処理回路１０９はＡＶデコーダ１０７から映像信号を受け取り、Ｄ／Ａ（デジタル／アナログ）変換を行い、映像出力回路１１３に出力する。映像出力回路１１３は、映像信号を、増幅した後外部に出力する。映像出力回路１１３には、表示装置１１７が接続され、映像出力回路１１３から出力される映像信号に従って、表示装置１１７に映像が表示される。表示装置１１７は、たとえば、プラズマディスプレイパネル、液晶表示装置または陰極線管（ＣＲＴ）などである。音声処理回路１１１はＡＶデコーダ１０７から音声信号を受け取り、Ｄ／Ａ変換を行い、右（Ｒ）音のアナログ信号および左（Ｌ）音のアナログ信号を生成し、音声出力回路１１５に出力する。音声出力回路１１５は、音声信号を増幅した後外部に出力する。音声出力回路１１５には、スピーカ１１９が接続され、音声出力回路１１５から出力される音声信号に従って、スピーカから音が出力される。
【００２０】
不揮発性メモリ１３３は、システムコントローラ１０１に接続されたＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）である。不揮発性メモリ１３３は、後述するチャンネル履歴データを記録する。チャンネル履歴データは、ユーザが選局したチャンネルとその時刻とを少なくとも含む。
【００２１】
ＯＳＤ（オンスクリーンディスプレイ)表示回路１２３は、システムコントローラ１０１から出力指示された文字情報に基づくビットマップデータを加算器１１０に出力する。ＯＳＤ表示回路１２３により、システムコントローラ１０１が受け取ったＰＳＩに含まれるサービス情報に基づくＥＰＧ（Ｅｌｅｃｔｒｏｎｉｃ  Ｐｒｏｇｒａｍ  Ｇｕｉｄｅ）画面、操作ガイド画面またはダウンロードソフトウェアの選択画面が映像出力回路１１３に出力される。また、ＯＳＤ表示回路１２３により、後述するチャンネル設定メニュー画面が映像出力回路１１３に出力され、表示装置１１７に表示される。
【００２２】
リモコン送信機１３１は、テレビジョン受像機１００に指令を送出するための送信機である。このリモコン送信機１３１に設けられたキーがユーザにより操作されると、そのキーに対応した指令を意味する信号光(リモコン信号)が発光部から送出される。リモコン受光器１２９は、リモコン送信機１３１が送出するリモコン信号を受光する。そして受光したリモコン信号をシステムコントローラ１０１に出力する。これにより、ユーザは、リモコン送信機１３１を操作することにより、システムコントローラ１０１に指令を入力することが可能となる。
【００２３】
操作部１３５は、テレビジョン受像機１００の前面に設けられたキーボードである。操作部１３５に設けられたキーがユーザにより操作されると、そのキーに対応した指令を意味する信号がシステムコントローラ１０１に入力される。このため、ユーザは、操作部１３５を操作することにより、システムコントローラ１０１に指令を入力することが可能となる。
【００２４】
テレビジョン受像機１００は、テレビジョン受像機１００に電源を供給するための電源回路１２７をさらに備える。電源回路１２７は、電源コンセントに接続可能であり、電源コンセントから供給される電力をテレビジョン受像機１００に供給する。
【００２５】
図２は、チャンネル設定メニュー画面の一例を示す図である。チャンネル設定メニュー画面は、テレビジョン受像機１００の主電源がオンになり、電源が供給されてテレビジョン受像機１００が起動した時点に、選局するチャンネルをいずれにするかを設定するための画面である。図２を参照して、チャンネル設定メニュー画面は、チャンネル設定を、通常モードに設定するか、または自動選択モードに設定するかを選択するための領域と、決定キーが確定キーであることを示す表示領域を含む。通常モードに設定するか、または自動選択モードに設定するかは、リモコン送信機１３１または操作部１３５に備えられた矢印キーを指示することにより、切り換えられる。チャンネル設定に「通常」が表示されて通常モードが選択されている場合に、矢印キーを操作すれば、チャンネル設定に「自動選択」が表示されて自動選択モードの選択に切換わる。チャンネル設定に「自動設定」が表示されて通常モードが選択されている場合に、矢印キーを操作すれば、チャンネル設定に「通常」が表示されて通常モードの選択に切換わる。
【００２６】
チャンネル設定に「通常」が表示されている状態で、リモコン送信機１３１または操作部１３５に備えられた確定キーが指示されると、チャンネル設定が通常モードに設定される。チャンネル設定に「自動選択」が表示されている状態で、リモコン送信機１３１または操作部１３５に備えられた確定キーが指示されると、チャンネル設定が自動選択モードに設定される。
【００２７】
テレビジョン受像機１００は、通常モードに設定されている場合、電源のオフがリモコン送信機１３１または操作部１３５で指示されると、その時点に選局されているチャンネルを不揮発性メモリ１３３に記憶する。そして、次に電源が投入されて起動すると、不揮発性メモリ１３３に記憶しているチャンネルを読み出して、読み出したチャンネルを選局するために、チューナ１０３およびＡＶデコーダ１０７にチャンネル選局の指示がシステムコントローラ１０１から出力される。一方、テレビジョン受像機１００は、自動選局モードに設定されている場合、以下に説明する視聴履歴記憶処理、視聴履歴管理処理及びチャンネル決定処理がシステムコントローラ１０１で実行されて、起動時に選局するチャンネルが決定される。
【００２８】
図３は、テレビジョン受像機が自動選局モードにある場合のシステムコントローラの機能を示す機能ブロック図である。図３を参照して、システムコントローラ１０１は、現在時刻を計時するためのタイマ１７と、年月日を算出するためのカレンダ１９と、チャンネル履歴データ１３３Ａを不揮発性メモリ１３３に記憶するための視聴履歴記憶部１１と、不揮発性メモリ１３３に記憶されたチャンネル履歴データ１３３Ａを管理するための視聴履歴管理部１３と、不揮発性メモリ１３３に記憶されているチャンネル履歴データ１３３Ａに基づいて起動時のチャンネルを決定するためのチャンネル決定部１５とを含む。
【００２９】
カレンダ１９およびタイマ１７で計時された日時は、視聴履歴記憶部１１、視聴履歴管理部１３およびチャンネル決定部１５に出力される。
【００３０】
視聴履歴記憶部１１は、テレビジョン受像機１００に電源が投入されている間、所定の時刻になると、その時点で選局されているチャンネルを検出し、チャンネル識別情報とその時の日時とを関連付けたチャンネル履歴データを生成する。視聴履歴記憶部１１は、生成したチャンネル履歴データを不揮発性メモリ１３３に記憶する。これにより、不揮発性メモリ１３３にチャンネル履歴データ１３３Ａが記憶される。所定の時刻は、予め定めた時刻であり、たとえば、１時間間隔の毎時ゼロ分であってもよいし、３０分間隔、１５分間隔で定まるようにしてもよい。視聴履歴記憶部１１は、所定の時刻にチャンネル履歴データ１３３Ａを記憶するので、所定の時刻の間隔が短いほど、不揮発性メモリ１３３に記憶されるチャンネル履歴データ１３３Ａの数が多くなる。チャンネル履歴データ１３３Ａは、チャンネル識別情報と日時とを関連付けているので、チャンネル履歴データから過去の時点で選局されていたチャンネルがわかる。
【００３１】
視聴履歴管理部１３は、不揮発性メモリ１３３に記憶されたチャンネル履歴データ１３３Ａのうち現在日時よりも所定期間前のチャンネル履歴データ１３３Ａを、不揮発性メモリ１３３から消去する。これにより、不揮発性メモリ１３３には、現在日時を基準にして所定期間のチャンネル履歴データ１３３Ａが記憶されることになる。所定期間は、たとえば、１年、半年、１月、１週など、任意に定めることができる。不揮発性メモリ１３３に記憶するチャンネル履歴データ１３３Ａを、現在日時を基準にした所定期間に生成されるものに制限することによって、不揮発性メモリ１３３に記憶されるチャンネル履歴データの数を制限するとともに、番組の変更またはユーザの嗜好の変化に対応することができる。
【００３２】
チャンネル決定部１５には、テレビジョン受像機１００の起動時に取得された現在時刻が入力される。チャンネル決定部１５は、テレビジョン受像機１００が起動されると、不揮発性メモリ１３３からチャンネル履歴データ１３３Ａを読み出し、現在日時に対応するチャンネル履歴データ１３３Ａの数をチャンネルごとに計数する。そして、チャンネル履歴データ１３３Ａの数が最大となったチャンネルを、起動時に選局するチャンネルに決定する。チャンネル決定部１５は、決定したチャンネルを含む周波数を選択するようにチューナ１０３を制御し、決定したチャンネルを選局するようにＡＶデコーダ１０７を制御する。
【００３３】
図４は、チャンネル履歴データのフォーマットの一例を示す図である。図４を参照して、チャンネル履歴データは、年月日と、時刻と、チャンネル識別情報とを含む。なお、年月日に代えて、曜日としてもよい。
【００３４】
図５は、本実施の形態におけるテレビジョン受像機で実行される視聴履歴記憶処理の流れの一例を示すフローチャートである。視聴履歴記憶処理は、テレビジョン受像機１００に電源が投入されている間、継続して実行される処理である。図５を参照して、視聴履歴記憶処理では、登録時刻が到達したか否かが判断される（ステップＳ０１）。タイマ１７で計時される時刻が登録時刻になるまで待機状態となり（ステップＳ０１でＮＯ）、登録時刻になればステップＳ０２に進む。
【００３５】
ステップＳ０２では、登録時刻に選局されているチャンネルが取得される。そして、連続視聴時間が測定される（ステップＳ０３）。連続視聴時間は、登録時刻に選局されているチャンネルが切り換えられることなく経過する時間である。ステップＳ０４では、連続視聴時間が所定時間以上となったか否かが判断される。連続視聴時間が所定時間になる前にチャンネルが切り換えられた場合にはステップＳ０６に進む。ステップＳ０５では、チャンネル履歴データを生成して、不揮発性メモリ１３３に記憶されているチャンネル履歴データ１３３Ａに、生成したチャンネル履歴データを追加して記憶する。そして、ステップＳ０６に進む。
【００３６】
ステップＳ０６では、テレビジョン受像機１００の電源がＯＦＦにされたか否かが判断され、電源がＯＦＦにされれば処理を終了し、そうでなければステップＳ０１に戻る。
【００３７】
図６は、本実施の形態におけるテレビジョン受像機で実行される視聴履歴管理処理の流れの一例を示すフローチャートである。この視聴履歴管理処理は、所定時間ごとに実行するようにしてもよいし、テレビジョン受像機１００に電源が投入されるごとに実行するようにしてもよいし、任意のタイミングで実行させることができる。
【００３８】
図６を参照して、視聴履歴管理処理では、現在の年月日と時刻とを取得する（ステップＳ１１）。そして、不揮発性メモリ１３３に記憶されたチャンネル履歴データ１３３Ａを順に読み出す（ステップＳ１２）。読出したチャンネル履歴データの年月日および時刻と、ステップＳ１１で取得した現在の年月日および時刻とを比較して、チャンネル履歴データが生成されてから所定期間経過しているか否かが判断される（ステップＳ１３）。真であればステップＳ１４に進み、偽であればステップＳ１４をスキップしてステップＳ１５に進む。
【００３９】
ステップＳ１４では、ステップＳ１２で読み出したチャンネル履歴データを不揮発性メモリ１３３から消去した後、ステップＳ１５に進む。ステップＳ１５では、未処理のチャンネル履歴データが不揮発性メモリ１３３に記憶されているか否かが判断される。未処理のチャンネル履歴データが不揮発性メモリ１３３に記憶されていればステップＳ１２に戻り、そうでなければ処理を終了する。これにより、不揮発性メモリ１３３には、現在時刻よりも所定期間前までに生成されたもののみが記憶されることになる。
【００４０】
図７は、本実施の形態におけるテレビジョン受像機で実行されるチャンネル決定処理の流れの一例を示すフローチャートである。図７を参照して、チャンネル決定処理では、テレビジョン受像機１００の電源がＯＮになったか否かが判断される（ステップＳ２１）。電源がＯＮになればステップＳ２２に進むが、そうでなければ待機状態となる。なお、テレビジョン受像機の電源がＯＮになった時点で、ステップＳ２２以降の処理が自動的に実行されるようにしてもよい。いずれにしても、チャンネル決定処理のステップＳ２２以降の処理は、テレビジョン受像機１００の電源がＯＮになることを条件に実行される。
【００４１】
ステップＳ２２では、現在の年月日と時刻とを取得する。そして、不揮発性メモリ１３３に記憶されたチャンネル履歴データ１３３Ａを順に読み出す（ステップＳ２３）。次のステップＳ２４では、読出したチャンネル履歴データが、ステップＳ２１で取得した現在の年月日および時刻より定まる曜日および時間帯にあるか否かが判断される。真の場合にはステップＳ２５に進み、偽の場合にはステップＳ２５をスキップしてステップＳ２６に進む。ステップＳ２２で取得した現在の年月日から曜日が定まり、現在の時刻から時間帯が定まる。時間帯は、ここでは１時間単位にしている。たとえば、現在の年月日が２００５年７月１日であれば、金曜日とされ、現在の時刻が７時１０分であれば、７時の時間帯とされる。チャンネル履歴データに含まれる年月日から定まる曜日が現在の年月日から定まる曜日に一致し、かつ、チャンネル履歴データに含まれる時刻が、現在の時刻から定まる時間帯に含まれる場合に、真と判断される。
【００４２】
ステップＳ２５では、チャンネル履歴データに含まれるチャンネル識別情報で特定されるチャンネルのチャンネル頻度が１だけカウントアップされる。ステップＳ２６では、未処理のチャンネル履歴データが不揮発性メモリ１３３に記憶されているか否かが判断される。未処理のチャンネル履歴データが不揮発性メモリ１３３に記憶されていればステップＳ２３に戻り、そうでなければステップＳ２７に進む。ステップＳ２７に進む場合には、不揮発性メモリ１３３に記憶されているチャンネル履歴データの全てについて、ステップＳ２４およびステップＳ２５の処理が実行され、チャンネルごとに、現在の年月日および時刻に対応する曜日および時間帯別のチャンネル頻度が算出される。ステップＳ２７では、算出されたチャンネル頻度のうち最大のチャンネルを、選局するためのチャンネルに設定する。
【００４３】
＜変形例＞
次に、テレビジョン受像機１００の変形例について説明する。変形例におけるテレビジョン受像機１００は、それを使用するユーザが複数ある場合に対応する。図８は、変形例におけるテレビジョン受像機が自動選局モードにある場合のシステムコントローラの機能を示す機能ブロック図である。図８を参照して、システムコントローラ１０１は、ユーザ認証部２１をさらに備える。ユーザ認証部２１は、リモコン送信機１３１または操作部１３５からユーザ情報が入力される。ユーザ情報は、ユーザ識別情報とパスワードとを含む。テレビジョン受像機１００には、テレビジョン受像機１００を使用するユーザが登録されており、登録されたユーザのユーザ情報が不揮発性メモリ１３３に予め記憶されている。ユーザ認証部２１は、リモコン送信機１３１または操作部１３５から入力されるユーザ情報を予め登録されたユーザ情報と比較し、一致すれば真のユーザとして認証する。ユーザが認証されると、テレビジョン受像機の電源がオンとされる。
【００４４】
視聴履歴記憶部１１Ａでは、図５に示した視聴履歴記憶処理が実行され、チャンネル履歴データ１３３Ａを不揮発性メモリ１３３に記憶するが、チャンネル履歴データ１３３Ａにユーザ識別情報を関連付けて記憶する。また、変形例におけるテレビジョン受像機１００では、視聴履歴管理部１３で、図６に示した視聴履歴管理処理が実行される。
【００４５】
チャンネル決定部１５Ａは、テレビジョン受像機１００が起動されると、不揮発性メモリ１３３からチャンネル履歴データ１３３Ａを読み出し、ユーザ認証部２１で認証されたユーザのユーザ識別情報と一致し、かつ、現在日時に対応するチャンネル履歴データ１３３Ａの数をチャンネルごとに計数する。そして、チャンネル履歴データ１３３Ａの数が最大となったチャンネルを、起動時に選局するチャンネルに決定する。
【００４６】
図９は、変形例におけるテレビジョン受像機１００に記憶されるチャンネル履歴データを示す図である。図９を参照して、チャンネル履歴データは、年月日と、時刻と、チャンネル識別情報と、ユーザ識別情報とを含む。
【００４７】
図１０は、変形例におけるテレビジョン受像機で実行されるチャンネル決定処理の流れの一例を示すフローチャートである。図１０を参照して、図７に示したチャンネル決定処理と異なるところは、ステップＳ２１ＡおよびステップＳ２３Ａが追加された点である。ステップＳ２１Ａでは、テレビジョン受像機１００の電源をオンにする操作をしたユーザのユーザ識別情報が取得される。ステップＳ２３Ａでは、ステップＳ２３で読出したチャンネル履歴データに含まれるユーザ識別情報と、ステップＳ２１Ａで取得したユーザ識別情報とを比較し、両者が一致するか否かが判断される。一致すればステップＳ２４に進み、一致しなければステップＳ２７に進む。ステップＳ２７に進む場合には、不揮発性メモリ１３３に記憶されているチャンネル履歴データ１３３Ａの全てについて、ステップＳ２３Ａ、ステップＳ２４およびステップＳ２５の処理が実行され、ユーザ識別情報ごと、かつチャンネルごとに、現在の年月日および時刻に対応する曜日および時間帯別のチャンネル頻度が算出される。
【００４８】
以上説明したように、本実施の形態におけるテレビジョン受像機１００は、視聴履歴記憶部１１により、選局されたチャンネルのチャンネル履歴データが不揮発性メモリ１３３に記憶され、チャンネル決定部１５が起動時に選局するチャンネルを、起動時の曜日および時間帯に含まれるチャンネル履歴データの件数が最大となるチャンネルに決定する。起動時の時刻に対応する曜日および時間帯に、過去に選局した回数の多いチャンネルが選局される。このため、起動時にユーザの所望するチャンネルを選局する確率を向上させることができる。
【００４９】
視聴履歴記憶部１１は、連続して所定時間を越えて選局されたチャンネルについてチャンネル履歴データを記憶するので、短い時間だけ選局されたチャンネルは記憶されない。チャンネル決定部１５では、連続して所定時間を越えて選局されたチャンネルの頻度を計数することになる。このため、単に、番組の内容を知るためだけに選局されたチャンネルが、起動時に選局されてしまうのを回避することができる。
【００５０】
また、視聴履歴管理部１３は、現在時刻から所定時間前までのチャンネル履歴データを不揮発性メモリ１３３に記憶するので、チャンネル決定部１５では、所定期間にチャンネルが選局された回数を計数することになる。このため、所定期間より前に選局されたチャンネルは計数されないので、番組の変更やユーザの嗜好の変化に対応することができる。
【００５１】
変形例におけるテレビジョン受像機１００は、システムコントローラ１０１にユーザを識別するためのユーザ識別情報を入力するユーザ認証部をさらに含んでおり、視聴履歴記憶部１１は、チャンネル履歴データにユーザ識別情報を含めて記憶する。そして、チャンネル決定部１５は、認証されたユーザのユーザ識別情報を含むチャンネル履歴データと、現在時刻から定まる曜日および時間帯とから、そのユーザに対応するチャンネルを決定する。このため、テレビジョン受像機１００のユーザが複数ある場合であっても、複数のユーザ別に過去に選局した頻度の高いチャンネルを選局するので、複数のユーザごとに所望のチャンネルを選局することができる。
【００５２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００５３】
【図１】本発明の実施の形態の一つにおけるテレビジョン受像機の構成の概略を示す図である。
【図２】チャンネル設定メニュー画面の一例を示す図である。
【図３】テレビジョン受像機が自動選局モードにある場合のシステムコントローラの機能を示す機能ブロック図である。
【図４】チャンネル履歴データのフォーマットの一例を示す図である。
【図５】本実施の形態におけるテレビジョン受像機で実行される視聴履歴記憶処理の流れの一例を示すフローチャートである。
【図６】本実施の形態におけるテレビジョン受像機で実行される視聴履歴管理処理の流れの一例を示すフローチャートである。
【図７】本実施の形態におけるテレビジョン受像機で実行されるチャンネル決定処理の流れの一例を示すフローチャートである。
【図８】変形例におけるテレビジョン受像機が自動選局モードにある場合のシステムコントローラの機能を示す機能ブロック図である。
【図９】変形例におけるテレビジョン受像機に記憶されるチャンネル履歴データを示す図である。
【図１０】変形例におけるテレビジョン受像機で実行されるチャンネル決定処理の流れの一例を示すフローチャートである。
【符号の説明】
【００５４】
１１  視聴履歴記憶部、１３  視聴履歴管理部、１５  チャンネル決定部、１７  タイマ、１９  カレンダ、１００  テレビジョン受像機、１０１  システムコントローラ、１０２  アンテナ、１０３  チューナ、１０７  ＡＶデコーダ、１０９  映像処理回路、１１０  加算器、１１１  音声処理回路、１１３  映像出力回路、１１５  音声出力回路、１１７  表示装置、１１９  スピーカ、１２３  ＯＳＤ表示回路、１２７  電源回路、１２９  リモコン受光器、１３１  リモコン送信機、１３３  不揮発性メモリ、１３３Ａ  チャンネル履歴データ、１３５  操作部。
【図１】
2007049539.tif 000003
【図２】
2007049539.tif 000004
【図３】
2007049539.tif 000005
【図４】
2007049539.tif 000006
【図５】
2007049539.tif 000007
【図６】
2007049539.tif 000008
【図７】
2007049539.tif 000009
【図８】
2007049539.tif 000010
【図９】
2007049539.tif 000011
【図１０】
2007049539.tif 000012